(57)【特許請求の範囲】
【請求項１】
天井（Ｃ）に取り付けられた本体部（２）と、上記本体部（２）に収納可能とされた吊下紐（３）と、上記吊下紐（３）の下端部分に吊り下げられた被支持部（４）とを有するハンガー装置の過負荷安全装置において、
吊下紐（３）と被支持部（４）とのうちで一方側の端部には可破壊部（５）が、他方側の端部には拡大部（３１）が設けられ、
可破壊部（５）は中空体であって、中空部（５１）を囲む部分の一部には貫通孔（５２ａ）が設けられたものであり、
この貫通孔（５２ａ）には、上記他方側の端部のうちで、拡大部（３１）の手前側に存在する挿通部（３２）が通されたものであって、
拡大部（３１）は、上記の貫通孔（５２ａ）の寸法よりも大きいものであり、上記の中空部（５１）へと配されるものであって、
この状態にて、拡大部（３１）と可破壊部（５）の一部（５２ｂ）とが当接することで、引張力が伝達されるものであり、
上記の引張力が増大した際には、拡大部（３１）によって貫通孔（５２ａ）が押し広げられ、この広げられた貫通孔（５２ａ）を拡大部（３１）が通過することによって、可破壊部（５）と拡大部（３１）とが分離するものであり、ハンガー装置（１）の他の部分が破壊されたり本体部（２）が天井（Ｃ）から落下してしまう前に、上記可破壊部（５）と拡大部（３１）とが分離して被支持部（４）が落下するものであることを特徴とする過負荷安全装置。
【請求項２】
上記の拡大部（３１）が中空部（５１）に配された状態の可破壊部（５）を、外部から覆うことのできるキャップ（６）が設けられたことを特徴とする、請求項１に記載の過負荷安全装置。
【請求項３】
可破壊部（５）が、被支持部（４）の上端に一体に設けられた、中空の円筒状体であり、
上記の貫通孔（５２ａ）は、この円筒状体（５）の上端部（５２）に設けられ、少なくともこの上端部（５２）の上面中心を通るスリット状の孔であり、
可破壊部（５）の円筒状体における側方部（５３）には、拡大部（３１）を上記の中空部（５１）に導入可能な寸法を有する開口部（５３ａ）が形成されており、
上記の貫通孔（５２ａ）は、少なくともスリット形状の一端側が円筒状体（５）の側方部（５３）に開口され、上記の開口部（５３ａ）と連続するものであって、スリット形状の幅寸法は、支持部（３）の挿通部（３２）が通過可能なものであり、
上記の拡大部（３１）は、支持部（３）の下端に設けられたものであり、
上記のキャップ（６）は、上端側が閉鎖された中空筒状体であって、内径が可破壊部（５）の側方部（５３）の外面に嵌合可能な寸法とされたものであり、
上端部（６１）の中央には、支持部（３）が通過可能な貫通孔（６１ａ）が設けられたものであり、
内側面には、貫通孔（５２ａ）に嵌合可能であるキー状の突起（６２）が設けられたことを特徴とする、請求項１または２に記載の過負荷安全装置。
【請求項４】
請求項１〜３に記載の過負荷安全装置と本体部（２）とを備えたものであり、
この本体部（２）は、家屋などにおける天井（Ｃ）に取り付けられたものであり、
上記過負荷安全装置の支持部（３）が、この本体部（２）に収納可能とされたものであることを特徴とするハンガー装置。
【発明の詳細な説明】
【技術分野】
【０００１】
本願発明は、被吊下物を天井から吊り下げるためのハンガー装置などに使用される過負荷安全装置に関するものである。
【背景技術】
【０００２】
【特許文献１】意匠登録第１２１５１６４号公報
【０００３】
従来から、被吊下物を天井などから吊り下げるためのハンガー装置１０１、例えば、本願出願人による特許文献１に記載の「室内用ハンガー」のようなものが存在する。これは、図４に示すように、家屋の天井などの高所に取り付けられるものであり、昇降可能なリング状の被支持部１０２に小型の物干し器などの被吊下物を掛けて、洗濯物を干すことなどに使用される。この本体部１０１の、天井などに取り付けられる本体部１０３には、ゼンマイばねなどを用いた昇降装置が内蔵されており（図示しない）、この昇降装置に、紐状体である支持部１０４が取り付けられている。そしてこの支持部１０４の下端が被支持部１０２に接続される。
【発明の開示】
【発明が解決しようとする課題】
【０００４】
図４に示す本体部１０１においては、支持部１０４の下端にジョイント金具１０５を介して被支持部１０２が取り付けられている。この取り付けは強固になされたものであるため、もしもこの被支持部１０２に大きな荷重がかかり、過負荷状態となった場合、最も弱い部分が破壊される。この際、支持部１０４が破断するのであれば特に問題とならないが、本体部１０３の天井などへの取り付けねじが抜けて、ハンガー装置１０１の全体が落下してしまうと、非常に危険であり、大事故になる可能性がある。また、この場合、天井も破損してしまうため、多大な経済的損失を与える可能性があった。
【０００５】
本願発明は上記の問題に鑑み、過負荷状態となった場合に破壊する場所があらかじめ設けられたものであり、大事故が起こり得ない過負荷安全装置、及びこれを備えたハンガー装置を提供することを課題とする。
【課題を解決するための手段】
【０００６】
上記課題を解決するために、本願の請求項１に記載の発明は、天井Ｃに取り付けられた本体部２と、上記本体部２に収納可能とされた吊下紐３と、上記吊下紐３の下端部分に吊り下げられた被支持部４とを有するハンガー装置の過負荷安全装置において、吊下紐３と被支持部４とのうちで一方側の端部には可破壊部５が、他方側の端部には拡大部３１が設けられ、可破壊部５は中空体であって、中空部５１を囲む部分の一部には貫通孔５２ａが設けられたものであり、この貫通孔５２ａには、上記他方側の端部のうちで、拡大部３１の手前側に存在する挿通部３２が通されたものであって、拡大部３１は、上記の貫通孔５２ａの寸法よりも大きいものであり、上記の中空部５１へと配されるものであって、この状態にて、拡大部３１と可破壊部５の一部５２ｂとが当接することで、引張力が伝達されるものであり、上記の引張力が増大した際には、拡大部３１によって貫通孔５２ａが押し広げられ、この広げられた貫通孔５２ａを拡大部３１が通過することによって、可破壊部５と拡大部３１とが分離するものであり、ハンガー装置１の他の部分が破壊されたり本体部２が天井Ｃから落下してしまう前に、上記可破壊部５と拡大部３１とが分離して被支持部４が落下するものであることを特徴とする過負荷安全装置を提供する。
【０００７】
また、本願の請求項２に記載の発明は、上記の拡大部３１が中空部５１に配された状態の可破壊部５を、外部から覆うことのできるキャップ６が設けられたことを特徴とする、請求項１に記載の過負荷安全装置を提供する。
【０００８】
また、本願の請求項３に記載の発明は、可破壊部５が、被支持部４の上端に一体に設けられた、中空の円筒状体であり、上記の貫通孔５２ａは、この円筒状体５の上端部５２に設けられ、少なくともこの上端部５２の上面中心を通るスリット状の孔であり、可破壊部５の円筒状体における側方部５３には、拡大部３１を上記の中空部５１に導入可能な寸法を有する開口部５３ａが形成されており、上記の貫通孔５２ａは、少なくともスリット形状の一端側が円筒状体５の側方部５３に開口され、上記の開口部５３ａと連続するものであって、スリット形状の幅寸法は、支持部３の挿通部３２が通過可能なものであり、上記の拡大部３１は、支持部３の下端に設けられたものであり、上記のキャップ６は、上端側が閉鎖された中空筒状体であって、内径が可破壊部５の側方部５３の外面に嵌合可能な寸法とされたものであり、上端部６１の中央には、支持部３が通過可能な貫通孔６１ａが設けられたものであり、内側面には、貫通孔５２ａに嵌合可能であるキー状の突起６２が設けられたことを特徴とする、請求項１または２に記載の過負荷安全装置を提供する。
【０００９】
また、本願の請求項４に記載の発明は、請求項１〜３に記載の過負荷安全装置と本体部２とを備えたものであり、この本体部２は、家屋などにおける天井Ｃに取り付けられたものであり、上記過負荷安全装置の支持部３が、この本体部２に収納可能とされたものであることを特徴とするハンガー装置を提供する。
【発明の効果】
【００１０】
本願の請求項１に記載の発明は、引張力が増大した際、拡大部３１によって貫通孔５２ａが押し広げられ、この広げられた貫通孔５２ａを拡大部３１が通過することによって、可破壊部５と拡大部３１とが分離することから、過負荷状態となった場合に破壊する場所があらかじめ、この可破壊部５と定められており、可破壊部５以外の部分が破壊されて大事故が起こることのない過負荷安全装置を提供することができたものである。
【００１１】
また、本願の請求項２に記載の発明は、上記の効果に加え、可破壊部５を、外部から覆うことのできるキャップ６が設けられたことにより、可破壊部５から拡大部３１が外れてしまうことを防止できたものである。また、可破壊部５の破壊後に、支持部３を復旧しやすい状態におくことができたものである。
【００１２】
また、本願の請求項３に記載の発明は、上記の請求項１または２に記載の発明の効果に加え、可破壊部５が、被支持部４の上端に一体に設けられたことにより、過負荷時に破壊されるのが被支持部４のみであり、その後の修理の際にあっても、他の部分２の分解作業が不要であって、容易に作業できる。また、被支持部４は比較的安価な部品であるため、経済的ロスも最小限とすることができる。
【００１３】
また、本願の請求項４に記載の発明は、請求項１〜３に記載の過負荷安全装置と本体部２とを備えたことにより、上記各請求項に記載の発明の効果を有するハンガー装置を提供できたものである。
【発明を実施するための最良の形態】
【００１４】
以下、図面に基づき本願発明の実施の形態の一例をとりあげて説明する。図１は、本例のハンガー装置の概略を示し、図２は本例のリングを示し、図３は本例のリングと吊下紐とキャップとを示す。
【００１５】
図１に示すように、本例のハンガー装置は、本体部２、支持部としての吊下紐３、被支持部としてのリング４とを備えたものとされている。
【００１６】
本体部２は、家屋などの天井Ｃにねじ止めなどによって取り付けられる箱状の物体である。この本体部２の内部には吊下紐３が収納可能とされている。この吊下紐３の収納は、本体部２の内部に設けられた巻取り機構によってなされ(図示しない）、リング４を使用する際には、吊下紐３を本体部２から任意の長さ分引き出した状態で保持することができ、使用後は再び本体部１の内部に収納することができる。
【００１７】
吊下紐３は、少なくとも下端部分が本体部２に対して昇降自在とされたものである。本例ではステンレスワイヤーが用いられているが、合成樹脂製のロープや鎖など、本体部に収納可能な可撓性を有する長尺体であれば、種々の素材での実施が可能である。また、吊下紐３の径寸法についても、本例では常に一定のものとされているが、例えば吊下げられた状態において、上方に向かう程太くなるテーパ状であっても良い。
【００１８】
本例では、吊下紐３の下端に球状の拡大部３１が一体に設けられている。この拡大部３１は、金属球がかしめられたものであるが、溶接などの他の手段で接合されたものであっても良い。また、単に吊下紐３の結び目や、吊下紐３の下端部分を折り曲げ、針金や帯金を巻きつけたものであっても良い。形態についても球状に限られず、円錐状や円柱状としても良い。つまり、吊下紐３の直径を、後述する可破壊部５の貫通孔５２ａよりも大きく変形させたものであれば、種々の形態での実施が可能である。なお、吊下紐３の拡大部３１のすぐ上の部分を、便宜上、挿通部３２と称して以下説明する。
【００１９】
リング４は、吊下紐３の下端部分に吊下げられたものである。これは、物干し器などの被吊下体を吊下げることのできる部分であって、本例では円環状とされている。このリング４の形態についても本例のものに限定されるものではなく、多角形など、他形状の環状のものや、フック状のもの、棒状体など、種々の形態で実施が可能である。
【００２０】
本例のハンガー装置１では、図２に示すように、リング４の上端に一体に可破壊部５が設けられる。この可破壊部５は中空の円筒状体であり、図示したように、内部に中空部５１を有し、下端がリング本体４１と連続している。
この可破壊部５の中空部５１を囲む部分の一部である上端部５２には、少なくともこの上端部５２の上面中心を通るようにスリット状の貫通孔５２ａが設けられている。そして、可破壊部５の側方部５３には、拡大部３１を中空部５１に導入可能な寸法を有する開口部５３ａが形成されている。
上記の貫通孔５２ａは、少なくともスリット形状の一端側が可破壊部５の側方部５３に開口され、開口部５３ａと連続するものであって、このスリット形状の幅寸法は、吊下紐３のうち挿通部３２が通過可能なものとされている。これにより、吊下紐３の拡大部３１を開口部５３ａから中空部５１に導入し、これと同時に、吊下紐３の挿通部３２を貫通孔５２ａに通すことで、可破壊部５に拡大部３１を配することができ、この状態で、図３（Ａ）に示すように、拡大部３１と可破壊部５の上端部内面５２ｂが当接することで、引張力を吊下紐３から可破壊部５を介してリング４に伝達できる。
【００２１】
一方、上記の引張力が増大した際には、拡大部３１が可破壊部５の上端部内面５２ｂを押圧することにより、可破壊部５が破壊される。つまり、拡大部３１によって貫通孔５２ａが押し広げられる。そして、貫通孔５２ａの、広げられた状態の大きさが拡大部３１の大きさを超えた場合、拡大部が貫通孔５２ａを通過し、可破壊部５と拡大部３１とが分離する。
【００２２】
この、拡大部３１が通り抜けてしまう程に貫通孔５２ａが広がる引張力に合わせて、可破壊部５の上端部５２の厚み、貫通孔５２ａの形状、拡大部３１の形状を設定することにより、所望の引張力で可破壊部５が破壊されるようにでき、ハンガー装置１の他の部分が破壊されたり、本体部２が天井Ｃから落下してしまう前に、可破壊部５を備えたリング４のみを落下させることができ、過負荷時の被害を最小限にとどめることができる。
また、破壊されるのが、ハンガー装置１の下方に位置するリング部４のみであることより、その後の修理の際にあっても、本体部２の分解が不要で、容易に作業できる。また、リング部４はハンガー装置１のうちで、比較的安価な部品であるため、経済的ロスも最小限とすることができる。
【００２３】
本例の可破壊部５は樹脂製で、リング４と一体に成形されたものであるが、リング４と別の素材からなるものとしても良い。また、リング４の上端に、吊下紐３と同様の比較的短い紐を、リング４の一部として設けておき、この紐の先端に可破壊部５を設けても良い。更に、可破壊部５を、本例ではリング４と一体としたが、これと逆に、吊下紐３と一体としても良い。この場合、拡大部３１を逆にリング４の側に設ける必要がある。結局、吊下紐３とリング４とのうちで一方側の端部には可破壊部５が、他方側の端部には拡大部３１が設けられたものであれば良く、本例のものに実施の形態が限定されるものではない。
【００２４】
また、貫通孔５２ａに関しても、本例のものに限られず、種々の形態での実施が可能である。例えば、上端部５２の中央に円形の孔を設けておき、この孔と側方部５３とを結ぶスリットから構成された鍵穴のような孔であっても良い。また、上記のように、破壊時において、貫通孔５２ａを拡大部３１により押し広げやすくするために、貫通孔５２ａの周囲に更にスリットや切れ目を設けたものとしても良い。
【００２５】
次に、本例では、上記のように拡大部３１が中空部５１に配された状態の可破壊部５を、外部から覆うことのできるキャップ６が設けられている。このキャップ６は、図３に示すように、上端側が閉鎖された中空筒状体とされており、内径が可破壊部５の側方部５３の外面に嵌合可能な寸法とされたものであって、上端部６１の中央には、吊下紐３の挿通部３２が通過可能な貫通孔６１ａが設けられている。
【００２６】
このように、キャップ６が可破壊部５を覆うことにより、可破壊部５から拡大部３１が外れてしまうことを防止できる。また、上記のように可破壊部５が破壊されて可破壊部５と拡大部３１とが分離した際に、本体部２に内蔵された巻取り機構によって吊下紐３の全体が不意に本体部２に巻き取られた際でも、このキャップ６が引っ掛かることにより、少なくともキャップ６及び拡大部３１が本体部２の外部に露出した状態とできる。よって、その後リング４を取り替える際においても、本体部２に巻き取られた吊下紐３を取り出すために、いちいち本体部２を分解する必要もなく、容易に取り替え作業を行うことができ、復旧が容易である。
【００２７】
また、この貫通孔６１ａの存在により、拡大部３１が可破壊部５の貫通孔５２ａに対して横方向にずれないようにでき、過負荷時の可破壊部５の破壊が確実に行われるようにできる。
【００２８】
また、上記に加え、キャップ６の内側面には、図３（Ｂ）に示すように、可破壊部５の貫通孔５２ａに嵌合可能であるキー状の突起６２が設けられている。この突起６２の嵌合は、貫通孔５２ａの、側方部５３へと開口された側のスリット形状の一端側に対してなされる。この突起６２は、キャップ６自体の可破壊部５に対する位置決めをなすことができるものであり、加えて、上記と同様に、拡大部３１が可破壊部５の貫通孔５２ａに対して横方向にずれないようにする作用も有する。
【００２９】
なお、本願発明において、キャップ６は必須のものではない。例えば、本体部２の吊下紐３が通過する部分の孔の径を拡大部３１の径よりも小さく形成することで、吊下紐３の本体部２への巻き込みを防止するものであっても良い。また、可破壊部５と拡大部３１との間の外れ止めは、スリット状の貫通孔５２ａのうち、側方部５３に対して開口された部分をかしめて閉じることによって行っても良い。
【図面の簡単な説明】
【００３０】
【図１】本願発明の実施の形態の一例に係るハンガー装置の概略を示す正面図である。
【図２】同ハンガー装置のリングを示し、（Ａ）は正面図、（Ｂ）は平面図、（Ｃ）は（Ａ）のＡ−Ａ断面図である。
【図３】（Ａ）は同ハンガー装置の吊下紐とリングとキャップとを示す側面図であり、（Ｂ）は同ハンガー装置のキャップを示す底面図である。
【図４】従来のハンガー装置の概略を示す斜視図である。
【符号の説明】
【００３１】
１        ハンガー装置
２        本体部
３        支持部、吊下紐
３１      拡大部
３２      挿通部
４        被支持部、リング
５        可破壊部
５１      中空部
５２      上端部
５２ａ    貫通孔
５２ｂ    可破壊部の上端部内面
５３      側方部
５３ａ    開口部
６        キャップ
Ｃ        天井
【図１】
0004746938.tif 000002
【図２】
0004746938.tif 000003
【図３】
0004746938.tif 000004
【図４】
0004746938.tif 000005